(57)【要約】  遮断器用箱体１は、接点の開閉を行う開閉装置１１と開閉装置１１に接続される導体２０とを内部に収容可能な収容部を備える遮断器用箱体１であって、収容部は、第１の方向に沿って延びる筒状形状を呈し、水平な上面２と上面２の両側から下方に向けて互いに離間するように延びる傾斜面３と、上面２に対向する底面４と、底面４の両側から傾斜面３に向けて鉛直に延びる側面５と、を有し、上面２と傾斜面３とに立設されたフィン１２，１３をさらに備える。
2014106905.tif 000002
【特許請求の範囲】
【請求項１】
接点の開閉を行う開閉装置と前記開閉装置に接続される導体とを内部に収容可能な収容部を備える遮断器用箱体であって、
前記収容部は、第１の方向に沿って延びる筒状形状を呈し、水平に設けられた上面と前記上面の両側から下方に向けて互いに離間するように延びる傾斜面と、前記上面に対して下方側で対向するとともに前記上面よりも広い幅で形成された底面と、前記底面の両側から前記傾斜面に向けて鉛直に延びる側面と、を有し、
前記上面と前記傾斜面とに立設されたフィンをさらに備えることを特徴とする遮断器用箱体。
【請求項２】
前記フィンは、前記上面に立設されて前記第１の方向に沿って並べられた複数の上フィンと、前記傾斜面に立設されて前記第１の方向に沿って並べられた複数の横フィンとを有し、
前記第１の方向と垂直な方向から見た場合に、前記上フィンと前記横フィンとが互いにずれた位置に立設されることを特徴とする請求項１に記載の遮断器用箱体。
【請求項３】
前記フィンは、前記側面を延長した面よりも外側にはみ出さない形状であることを特徴とする請求項１または２に記載の遮断器用箱体。
【請求項４】
前記側面の上端間の距離よりも前記傾斜面の下端間の距離が小さく、
前記収容部は、前記側面の上端と前記傾斜面の下端とを連結させる連結面をさらに有することを特徴とする請求項１〜３のいずれか１つに記載の遮断器用箱体。
【請求項５】
請求項１〜４のいずれか１つに記載の遮断器用箱体と、
前記遮断器用箱体の収容部に収容された開閉装置および導体と、を備えることを特徴とする電力用開閉装置。
【発明の詳細な説明】
【技術分野】
【０００１】
本発明は、遮断器用箱体および電力用開閉装置に関するものである。
【背景技術】
【０００２】
発電・変電等の電力系統では、遮断器等を含む主回路が箱体（遮断器用箱体）の内部に収容された電力用開閉装置が用いられる。主回路への通電時には、遮断器等の発熱による温度上昇が問題になりやすい。そこで、遮断器用箱体の外部にフィンを設けることで、遮断器等で発生した熱を、遮断器用箱体を介して外気に放熱させる技術が、例えば特許文献１に開示されている。
【先行技術文献】
【特許文献】
【０００３】
【特許文献１】特許第４５２５２１３号公報
【発明の概要】
【発明が解決しようとする課題】
【０００４】
このような電力用開閉装置では、通電時における発熱による温度上昇が低いほど、同じ大きさの遮断器等であっても、より大きな電流を流すことが可能となる。したがって、同じ定格通電電流となる電力用開閉装置の場合、遮断器等の温度上昇が抑えられた電力用開閉装置のほうが、小型の遮断器等を用いることができるので、装置の小型化が図られることとなる。そこで、遮断器等で発生した熱を、遮断器用箱体を介して放熱させる際の放熱効率のより一層の向上を図ることが求められている。【０００５】
本発明は、上記に鑑みてなされたものであって、放熱効率のより一層の向上を図ることができる遮断器用箱体を得ることを目的とする。
【課題を解決するための手段】
【０００６】
上述した課題を解決し、目的を達成するために、本発明は、接点の開閉を行う開閉装置と開閉装置に接続される導体とを内部に収容可能な収容部を備える遮断器用箱体であって、収容部は、第１の方向に沿って延びる筒状形状を呈し、水平に設けられた上面と上面の両側から下方に向けて互いに離間するように延びる傾斜面と、上面に対する下方側で対向するとともに前記上面よりも幅が広く形成された底面と、底面の両側から傾斜面に向けて鉛直に延びる側面と、を有し、上面と傾斜面とに立設されたフィンをさらに備えることを特徴とする。
【発明の効果】
【０００７】
この発明によれば、放熱効率のより一層の向上を図ることのできる遮断器用箱体を得ることができるという効果を奏する。
【図面の簡単な説明】
【０００８】
【図１】図１は、本発明の実施の形態１にかかる電力用開閉装置の概略構成を示す側面図である。
【図２】図２は、図１に示すＡ−Ａ線に沿った矢視断面図である。
【図３】図３は、図１に示すＢ部分を拡大した部分拡大図である。
【発明を実施するための形態】
【０００９】
以下に、本発明の実施の形態にかかる遮断器用箱体および電力用開閉装置を図面に基づいて詳細に説明する。なお、この実施の形態によりこの発明が限定されるものではない。
【００１０】
実施の形態１．
図１は、本発明の実施の形態１にかかる電力用開閉装置の概略構成を示す側面図である。電力用開閉装置１０は、導体２０、遮断器（開閉装置）１１、遮断器用箱体１を備える。導体２０は、矢印Ｘに示す方向（第１の方向）に沿って延びる導体である。導体２０の間には、遮断器１１が接続されている。遮断器１１は、可動接触子や固定接触子からなる接点（図示せず）を有する。遮断器１１による接点の開閉により、導体２０への通電状態と遮断状態とが切り替えられる。
【００１１】
図２は、図１に示すＡ−Ａ線に沿った矢視断面図（矢印Ｘに示す方向に沿って見た断面図）である。図２に示すように、遮断器用箱体１は、矢印Ｘ（図１も参照）に示す方向に沿って延びる筒状形状を呈している。遮断器用箱体１の断面形状は、方形形状を呈する方形部８の上辺部分に、台形形状を呈する台形部７の底辺を重ねるように組み合わせた形状となっている。このように、方形部８と台形部７とを有して形成された筒状形状が、遮断器１１や導体２０を内部に収容する収容部となる。
【００１２】
筒状形状をより具体的に説明すると、水平に設けられた上面２、上面２の両側から下方に向けて互いに離間するように延びる傾斜面３、上面２に対して下方側で対向するとともに上面２よりも広い幅で形成された底面４、底面４の両側から傾斜面３に向けて鉛直に延びる側面５と、を有して筒状形状が形成されている。このように、上面２および傾斜面３によって台形部７が形成され、底面４および側面５によって方形部８が形成されている。
【００１３】
なお、側面５の上端同士の距離よりも傾斜面３の下端同士の距離のほうが小さくなっている。換言すれば、方形部８の上辺の長さよりも、台形部７の下底の長さのほうが小さくなっているといえる。そのため、側面５の上端と傾斜面３の下端との間を連結する連結面１４が設けられている。例えば、台形部７と方形部８とが別個に構成されている場合、この連結面１４部分で台形部７と方形部８を連結すればよい。
【００１４】
遮断器用箱体１の上面２には、放熱用のフィンとして複数の上フィン１２が矢印Ｘに示す方向に沿って並べて立設されている。また、遮断器用箱体１の傾斜面３には、放熱用のフィンとして複数の横フィン１３が矢印Ｘに示す方向に沿って並べて立設されている。また、図１に示すように、矢印Ｘに示す方向と垂直な方向から見た場合に、上フィン１２と横フィン１３とが互いにずれた位置に立設されている。
【００１５】
なお、本実施の形態では、上フィン１２と横フィン１３とが１枚ずつ交互に並べられた例を示しているが、これに限られない。上フィン１２の間に何枚の横フィン１３を設けるか、横フィン１３の間に何枚の上フィン１２を設けるかは、適宜変更可能である。
【００１６】
また、上フィン１２と横フィン１３は、側面５を延長した延長面１５よりも外側にはみ出さない大きさおよび形状で形成されている。特に横フィン１３は、長方形形状の１つの角部を面取りした形状にすることで、延長面１５よりも外側にはみ出さないようになっている。
【００１７】
また、上フィン１２と横フィン１３を第１の方向に沿って見た場合に、上フィン１２の一部と横フィン１３の一部とが重なるようになっている。具体的には、上フィン１２は、上面２よりも外側にはみ出す大きさおよび形状で形成され、横フィン１３は、上面２よりも上方にはみ出す大きさおよび形状で形成されている。
【００１８】
以上のように構成された電力用開閉装置１０では、通電時において遮断器１１等の温度上昇によって発生した熱が、フィン１２，１３を介して外気に放熱されるため、遮断器１１等の温度上昇を抑えることができる。また、横フィン１３に加えて上フィン１２も形成されているため、フィンの面積の拡大を図ることができ、放熱効率の向上を図ることができる。
【００１９】
図３は、図１に示すＢ部分を拡大した部分拡大図である。遮断器用箱体１の周囲のうち、横フィン１３の表面に近い領域Ｃでは、横フィン１３からの熱によって空気の温度が上昇しやすくなる。温度が上昇することで領域Ｃにある空気は、矢印Ｙに示すように上昇していく。
【００２０】
一方、領域Ｃよりも横フィン１３から離れた領域Ｄ、すなわち領域Ｃの間にある領域Ｄにある空気も、横フィン１３からの熱による温度上昇は少ないものの、領域Ｃにある空気の上昇に引かれて、矢印Ｚに示すように上昇していく。領域Ｄにある空気は、上昇していくことで上フィン１２の近くを通過する。
【００２１】
ここで、領域Ｄにあった空気は、領域Ｃにあった空気よりも横フィン１３からの熱による温度上昇が小さい。そのため、領域Ｄにあった空気のほうが、領域Ｃにあった空気よりも温度が低く、上フィン１２との温度差を大きくすることができる。上述したように、領域Ｄにあった温度の低い空気を上フィン１２の近くに通過させることができるので、上フィン１２部分で温度差の大きい領域Ｄにあった空気との間で熱交換させることができ、上フィン１２からの放熱効率の向上を図ることができる。
【００２２】
また、上フィン１２が遮断器用箱体１の上面２よりも外側にはみ出しているため、領域Ｄにあった空気と上フィン１２とが接触しやすくなる。また、横フィン１３が上面２よりも上方にはみ出しているため、領域Ｃ，Ｄにあった空気がより上方までまっすぐに案内される。これにより、領域Ｄにあった空気も、まっすぐに上フィン１２に向けて案内されやすくなる。
【００２３】
また、上フィン１２と横フィン１３とが延長面１５よりも外側にはみ出さない大きさおよび形状で形成されているため、複数の電力用開閉装置１０を並べて配置する際に装置間の距離を小さくして、設置面積の縮小化を図ることができる。なお、電力用開閉装置１０は、３つで１組の三相の電力設備として設けられることが多く、複数設置が一般的である。
【００２４】
また、方形部８の上辺の長さよりも、台形部７の下底の長さのほうが小さくなっているため、延長面１５よりも外側にはみ出さない大きさおよび形状で横フィン１３を形成しつつ、より大きな面積とすることが可能となる。これにより、横フィン１３からの放熱効率の向上を図ることができる。
【００２５】
なお、本実施の形態では、上フィン１２と横フィン１３とが別個に構成されたものを例示しているが、上フィン１２と横フィン１３とが一体に形成されていてもよい。この場合であっても、フィンの面積拡大による放熱効率の向上を図ることができる。
【産業上の利用可能性】
【００２６】
以上のように、本発明にかかる遮断器用箱体は、内部に収容された遮断器等から発生した熱の放熱効率の向上に有用である。
【符号の説明】
【００２７】
１  遮断器用箱体、２  上面、３  傾斜面、４  底面、５  側面、７  台形部、８  方形部、１０  電力用開閉装置、１１  遮断器（開閉装置）、１２  上フィン、１３  横フィン、１４  連結面、１５  延長面、２０  導体。
【図１】
2014106905.tif 000003
【図２】
2014106905.tif 000004
【図３】
2014106905.tif 000005
【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
接点の開閉を行う開閉装置と前記開閉装置に接続される導体とを内部に収容可能な収容部を備える遮断器用箱体であって、
前記収容部は、第１の方向に沿って延びる筒状形状を呈し、水平に設けられた上面と前記上面の両側から下方に向けて互いに離間するように延びる傾斜面と、前記上面に対して下方側で対向するとともに前記上面よりも広い幅で形成された底面と、前記底面の両側から前記傾斜面に向けて鉛直に延びる側面と、を有し、
前記上面と前記傾斜面とに立設されたフィンをさらに備え、
前記フィンは、前記上面に立設されて前記第１の方向に沿って並べられた複数の上フィンと、前記傾斜面に立設されて前記第１の方向に沿って並べられた複数の横フィンとを有し、
前記第１の方向と垂直な方向から見た場合に、前記上フィンと前記横フィンとが互いにずれた位置に立設されることを特徴とする遮断器用箱体。
【請求項２】
前記フィンは、前記側面を延長した面よりも外側にはみ出さない形状であることを特徴とする請求項１に記載の遮断器用箱体。
【請求項３】
前記側面の上端間の距離よりも前記傾斜面の下端間の距離が小さく、
前記収容部は、前記側面の上端と前記傾斜面の下端とを連結させる連結面をさらに有することを特徴とする請求項１または２に記載の遮断器用箱体。
【請求項４】
請求項１〜３のいずれか１つに記載の遮断器用箱体と、
前記遮断器用箱体の収容部に収容された開閉装置および導体と、を備えることを特徴とする電力用開閉装置。
【国際調査報告】
2014106905.tif 000006
2014106905.tif 000007
2014106905.tif 000008
2014106905.tif 000009